(57)【要約】【課題】外部機器との連携におけるユーザの利便性を向上する。【解決手段】撮像装置は、撮像部（２０１）が撮像したスルー画像を外部機器（１０）に送信可能な通信部（２０７）と、前記通信部と前記外部機器との通信が成立し、前記撮像部が前記スルー画像を撮像した場合でも、前記撮像部が撮像した前記スルー画像の送信を待機させる制御部（２１３）と、を備える。【選択図】図１
2015136030.tif 000002
【特許請求の範囲】
【請求項１】
撮像部が撮像したスルー画像を外部機器に送信可能な通信部と、
前記通信部と前記外部機器との通信が成立し、前記撮像部が前記スルー画像を撮像した場合でも、前記撮像部が撮像した前記スルー画像の送信を待機させる制御部と、
を備える撮像装置。
【請求項２】
撮像に関連するユーザの動作もしくは操作を検出する検出部を備え、
前記制御部は、前記検出部により検出した前記ユーザの動作もしくは操作に基づいて、前記スルー画像を送信する請求項１に記載の撮像装置。
【請求項３】
前記制御部は、前記外部機器の操作に応じて、前記スルー画像を送信する請求項１に記載の撮像装置。
【請求項４】
前記制御部は、前記撮像部のレリーズ操作に基づいて、前記スルー画像を送信する請求項２に記載の撮像装置。
【請求項５】
前記制御部は、被写体の目の情報と、前記被写体の表情との少なくとも１つに基づき、前記撮像部を制御する請求項１から４のいずれか１項に記載の撮像装置。
【請求項６】
前記検出部は、前記ユーザが前記撮像装置のグリップ部分を握る動作、前記ユーザがレリーズボタンに指をかける動作、及び、前記ユーザが前記撮像装置を一定の姿勢で所定時間保持する動作の少なくとも１つを検出する請求項２記載の撮像装置。
【請求項７】
撮像部の撮像方向を入力する第１入力部と、
ユーザが装着する外部機器の向いている方向を入力する第２入力部と、
前記第１入力部が入力した前記撮像方向と前記第２入力部が入力した方向とに基づいて、前記撮像部を制御する制御部と、
を備える撮像装置。
【請求項８】
前記外部機器に前記撮像部が撮像したスルー画像を送信する送信部を備え、
前記制御部は、前記撮像方向と前記外部機器の向いている方向とが異なるときに前記撮像部が撮像したスルー画像を前記送信部により前記外部機器に送信する請求項７に記載の撮像装置。
【請求項９】
前記制御部は、前記撮像方向と前記外部機器の向いている方向とが異なるときに前記撮像部に関する設定を変更する請求項７又は８に記載の撮像装置。
【請求項１０】
ユーザが装着する電子機器であって、
撮像装置の撮像方向を入力する第１入力部と、
前記電子機器の向いている方向を入力する第２入力部と、
前記ユーザからの入力を受け付ける入力受付部と、
前記第１入力部が入力した前記撮像方向と前記第２入力部が入力した方向とに基づいて、前記入力受付部が受け付けた入力を、前記撮像装置の操作に関する情報として前記撮像装置に送信する送信部と、
を備える電子機器。
【請求項１１】
前記撮像方向と前記電子機器の向いている方向とが異なるときに、前記撮像装置により撮像されたスルー画像を受信する受信部を備える請求項１０記載の電子機器。
【発明の詳細な説明】
【技術分野】
【０００１】
本発明は、撮像装置及び電子機器に関する。
【背景技術】
【０００２】
従来より、ユーザの目の近傍で画像を表示する表示装置と、撮像装置とを連携させたシステムが提案されている（例えば、特許文献１参照）。
【先行技術文献】
【特許文献】
【０００３】
【特許文献１】特開２０１０−２６３３２４号公報
【発明の概要】
【発明が解決しようとする課題】
【０００４】
しかしながら、上記特許文献１では、表示装置と撮像装置とが連携して被写体を撮像する場合の使い勝手について、十分に考慮されているとはいえない。
【０００５】
本発明は上記の課題に鑑みてなされたものであり、外部機器との連携におけるユーザの利便性を向上することが可能な撮像装置を提供することを目的とする。また、撮像装置との連携におけるユーザの利便性を向上することが可能な電子機器を提供することを目的とする。
【課題を解決するための手段】
【０００６】
本発明の撮像装置（２０）は、撮像部（２０１）が撮像したスルー画像を外部機器（１０）に送信可能な通信部（２０７）と、前記通信部と前記外部機器との通信が成立し、前記撮像部が前記スルー画像を撮像した場合でも、前記撮像部が撮像した前記スルー画像の送信を待機させる制御部（２１３）と、を備える。
【０００７】
この場合において、本発明の撮像装置は、撮像に関連するユーザの動作もしくは操作を検出する検出部（２０９，２１１，２１２）を備え、前記制御部は、前記検出部により検出した前記ユーザの動作もしくは操作に基づいて、前記スルー画像を送信することとしてもよい。また、前記制御部は、前記外部機器の操作に応じて、前記スルー画像を送信することとしてもよい。また、前記制御部は、前記撮像部のレリーズ操作に基づいて、前記スルー画像を送信することとしてもよい。
【０００８】
また、前記制御部は、被写体の目の情報と、前記被写体の表情との少なくとも１つに基づき、前記撮像部を制御することとしてもよい。また、前記検出部は、前記ユーザが前記撮像装置のグリップ部分を握る動作、前記ユーザがレリーズボタンに指をかける動作、及び、前記ユーザが前記撮像装置を一定の姿勢で所定時間保持する動作の少なくとも１つを検出することとしてもよい。
【０００９】
本発明の撮像装置（２０）は、撮像部２０１の撮像方向を入力する第１入力部（２０８，２１３）と、ユーザが装着する外部機器（１０）の向いている方向を入力する第２入力部（２０７，２１３）と、前記第１入力部が入力した前記撮像方向と前記第２入力部が入力した方向とに基づいて、前記撮像部を制御する制御部（２１３）と、を備える。
【００１０】
この場合において、本発明の撮像装置は、前記外部機器に前記撮像部が撮像したスルー画像を送信する送信部（２０７，２１３）を備え、前記制御部は、前記撮像方向と前記外部機器の向いている方向とが異なるときに前記撮像部が撮像したスルー画像を前記送信部により前記外部機器に送信することとしてもよい。また、前記制御部は、前記撮像方向と前記外部機器の向いている方向とが異なるときに前記撮像部に関する設定を変更することとしてもよい。
【００１１】
本発明の電子機器（１０）は、ユーザが装着する電子機器であって、撮像装置（２０）の撮像方向を入力する第１入力部（１０８，１０９）と、前記電子機器の向いている方向を入力する第２入力部（１０５，１０９）と、前記ユーザからの入力を受け付ける入力受付部（１０３，１０４）と、前記第１入力部が入力した前記撮像方向と前記第２入力部が入力した方向とに基づいて、前記入力受付部が受け付けた入力を、前記撮像装置の操作に関する情報として前記撮像装置に送信する送信部（１０８，１０９）と、を備える。
【００１２】
この場合において、本発明の電子機器は、前記撮像方向と前記電子機器の向いている方向とが異なるときに、前記撮像装置により撮像されたスルー画像を受信する受信部（１０８，１０９）、を備えていてもよい。
【００１３】
なお、本発明をわかりやすく説明するために、上記においては一実施形態を表す図面の符号に対応つけて説明したが、本発明は、これに限定されるものではなく、後述の実施形態の構成を適宜改良しても良く、また、少なくとも一部を他の構成物に代替させても良い。更に、その配置について特に限定のない構成要件は、実施形態で開示した配置に限らず、その機能を達成できる位置に配置することができる。
【発明の効果】
【００１４】
本発明の撮像装置は、外部機器との連携におけるユーザの利便性を向上することができるという効果を奏する。また、本発明の電子機器は、撮像装置との連携におけるユーザの利便性を向上することができるという効果を奏する。
【図面の簡単な説明】
【００１５】
【図１】第１の実施形態に係る撮像システムの構成を示すブロック図である。
【図２】図２（Ａ）は、装着型機器の一例を示す斜視図であり、図２（Ｂ）は、撮像装置の一例を示す斜視図である。
【図３】図３（Ａ）は、第１の実施形態に係る撮像装置が実行する処理の一例を示すフローチャートであり、図３（Ｂ）は第１の実施形態に係る装着型機器が実行する処理の一例を示すフローチャートである。
【図４】第１の実施形態にかかる撮像システムを利用している状況を表す図である。
【図５】第２の実施形態に係る撮像装置が実行する処理の一例を示すフローチャートである。
【図６】第３の実施形態にかかる撮像システムを利用している状況を表す図である。
【図７】第３の実施形態に係る装着型機器が実行する処理の一例を示すフローチャートである。
【発明を実施するための形態】
【００１６】
《第１の実施形態》
以下、第１の実施形態について、図１〜図４に基づいて、詳細に説明する。図１には、第１の実施形態に係る撮像システム５００の構成がブロック図にて示されている。図１に示すように、撮像システム５００は、装着型機器１０と、撮像装置２０と、を備える。
【００１７】
（装着型機器１０）
装着型機器１０は、ユーザが顔に装着する眼鏡型の端末である。装着型機器１０は、図１に示すように、撮像部１０１と、表示部１０２と、操作部１０３と、マイク１０４と、方位センサ１０５と、スピーカ１０６と、記憶部１０７と、通信部１０８と、制御部１０９と、を備える。なお、図２（Ａ）には、装着型機器１０が斜視図にて示されている。図２（Ａ）に示すように、装着型機器１０は、眼鏡型のフレーム１２０を備えている。なお、図１において図示され、図２（Ａ）において図示されていない装着型機器１０の構成は、フレーム１２０の内部や、フレーム１２０の一部に設けられているものとする。
【００１８】
撮像部１０１は、レンズ、撮像素子、画像処理部などを備え、静止画や動画を撮像するものである。撮像部１０１は、図２（Ａ）に示すようにフレーム１２０の端部近傍（ユーザの右目近傍）に設けられている。このため、ユーザが装着型機器１０を装着した状態では、ユーザが向いている（見ている）方向の画像を撮像することができる。
【００１９】
表示部１０２は、フレーム１２０内部又はフレーム１２０近傍に設けられたプロジェクタと、プロジェクタからの投影像をユーザの目に導くためのプリズムとを有している。表示部１０２は、制御部１０９の制御の下、各種情報を表示する。
【００２０】
操作部１０３は、フレーム１２０に設けられたタッチパッドであり、ユーザの指の動きを検知して、ユーザからの操作を受け付け、受け付けた操作情報を制御部１０９に送信する。なお、撮像部１０１、表示部１０２、操作部１０３などについては、例えば米国公開特許２０１３／００４４０４２号にもその詳細が開示されている。
【００２１】
マイク１０４は、フレーム１２０に設けられ、ユーザが発した音声を収集する。マイク１０４が収集した音声は、不図示の音声認識部により音声認識され、音声認識結果は、制御部１０９に送信される。制御部１０９は、音声認識結果に基づく処理（例えば、コマンドの実行処理など）を実行する。なお、制御部１０９が音声認識を実行してもよい。
【００２２】
方位センサ１０５は、たとえば地磁気に基づいて、装着型機器１０が向いている方向を検出する。本実施形態では、方位センサ１０５は、装着型機器１０の撮像部１０１が向いている方向、すなわち、装着型機器１０を装着したユーザが向いている（見ている）方向を検出する。方位センサ１０５は、検出結果を制御部１０９に出力する。
【００２３】
スピーカ１０６は、例えば、フレーム１２０に設けられ、制御部１０９の制御の下、音声を出力する音声出力装置である。なお、スピーカ１０６としては、イヤホンやヘッドホンのほか、指向性があり、主に装着型機器１０を装着するユーザの耳に向けて音声情報を提供することが可能なスピーカなどを採用することができる。
【００２４】
記憶部１０７は、例えば、フラッシュメモリ等の不揮発性の半導体メモリであり、撮像部１０１が撮像した画像データや、表示部１０２に表示する表示データなどを記憶する。
【００２５】
通信部１０８は、他の機器と無線通信（携帯電話回線や無線ＬＡＮ（Local Area Network）等を用いた通信）を行う。本第１の実施形態では、通信部１０８は、撮像装置２０との間で通信を行うものとする。なお、通信部１０８は他の機器と、例えばＢｌｕｅｔｏｏｔｈ（登録商標）、ＲＦＩＤ(Radio Frequency Identification)、ＴｒａｎｓｆｅｒＪｅｔ（登録商標）などの近接通信を行ってもよい。また、通信部１０８は、他の機器との通信に、ユーザ（人体）を介して通信する人体通信を用いてもよい。人体通信には、人体に微弱な電流を流して、その電流を変調して情報を伝達する電流方式や、人体の表面に誘起する電界を変調して情報を伝達する電界方式などがあり、いずれの方式を用いることも可能である。
【００２６】
制御部１０９は、装着型機器１０全体を統括的に制御する。制御部１０９は、ＣＰＵ（Central Processing Unit）、ＲＡＭ（Random Access Memory）、ＲＯＭ（Read Only Memory）等を備える。制御部１０９が実行する処理の詳細については、後述する。
【００２７】
（撮像装置２０）
撮像装置２０は、例えば、カメラや、撮像機能を有する携帯電話、スマートフォン、タブレット型端末などである。本実施形態では、撮像装置２０は、カメラであるものとして説明を行う。なお、図２（Ｂ）には、撮像装置２０が斜視図にて示されている。撮像装置２０は、一眼レフカメラ、ミラーレスカメラ、およびコンパクトカメラのいずれであってもよいが、本実施形態では、図２（Ｂ）に示すように、コンパクトカメラであるものとする。また、撮像装置２０は、装着型機器１０と連携せず撮像装置２０単体で撮像を行う“通常撮影モード”と、装着型機器１０と連携して撮像を行う“連携撮影モード”とを備える。本第１の実施形態において、撮像装置２０が“連携撮影モード”にある場合、撮像部２０１が撮像するスルー画像の装着型機器１０への送信が可能となる。また、撮像装置２０は、ユーザの操作に基づいてだけではなく、自動で被写体を撮像することが可能となる。
【００２８】
撮像装置２０は、図１及び図２（Ｂ）に示すように、撮像部２０１、表示部２０２、操作部２０３、マイク２０４、スピーカ２０５、記憶部２０６、通信部２０７、方位センサ２０８、圧力センサ２０９、視線検出部２１０、静電センサ２１１、加速度センサ２１２、及び制御部２１３を備える。
【００２９】
撮像部２０１は、レンズ、撮像素子、画像処理部などを備え、静止画や動画を撮像するものである。
【００３０】
表示部２０２は、例えば、ＬＣＤ（Liquid Crystal Display）であり、撮像部２０１のレンズと反対側の面に設けられる。表示部２０２は、撮像装置２０に対する各種の設定情報や、撮像装置２０を操作するための操作メニュー、アイコンなどを表示する。また、表示部１０２は、撮像部２０１が撮像するスルー画像（ライブビュー画像）や、後述する記憶部２０６に記録されている静止画像や動画像を表示する。
【００３１】
操作部２０３は、例えば、図２（Ｂ）に示すレリーズスイッチ２０３Ａを含む種々のスイッチや、表示部２０２と同一の面に設けられるタッチパネル等を備える。レリーズスイッチ２０３Ａは、例えば、静止画像の撮像を指示する場合にユーザによって操作される（押される）。タッチパネルは、例えば、表示部２０２上に設けられ、又は表示部２０２内に組み込まれ、表示部２０２の表面に対するユーザの接触操作を検出し、種々の情報入力を受け付ける。
【００３２】
マイク２０４は、図２（Ｂ）に示すように、表示部２０２の反対側の面に設けられ、静止画や動画を撮影したときの音声を入力する音声入力装置である。スピーカ２０５は、静止画のデータや動画のデータに関連付けられている音声データに基づいて音声を出力する音声出力装置である。スピーカ２０５は、例えば、表示部２０２と同一の面に設けられる。
【００３３】
記憶部２０６は、例えば、撮像装置２０に着脱可能な記憶媒体であるＳＤカードに接続するコネクタを有し、ＳＤカードに静止画のデータや動画のデータを記憶させる。
【００３４】
通信部２０７は、他の機器と無線通信（携帯電話回線や無線ＬＡＮ等を用いた通信）を行う。本実施形態では、通信部２０７は、撮像装置２０との間で通信を行うものとする。なお、上述したように通信部２０７の通信として近接通信や人体通信を用いてもよい。
【００３５】
方位センサ２０８は、たとえば地磁気に基づいて、撮像部２０１が向いている方向を検出し、検出結果を制御部２１３に出力する。
【００３６】
圧力センサ２０９は、図２（Ｂ）に示すように、ユーザが撮像装置２０を用いて撮像を行う際に手で保持する部分（以後、グリップ部分と記載する）に設けられ、グリップ部分にかかる圧力を検出し、検出値を制御部２１３に出力する。制御部２１３は、圧力センサ２０９の検出値に基づき、ユーザがグリップ部分を握ったか否かを判断する。
【００３７】
視線検出部２１０は、例えば、赤外線ＬＥＤ(Laser Emitting Diode)と赤外線カメラとを備え、赤外線ＬＥＤで被写体の顔を照らして、赤外線カメラで被写体の目を写すことにより、角膜反射の位置に対する瞳孔の位置に基づいて、被写体の視線を検出する。視線検出部２１０は、例えば、図２（Ｂ）に示すように、表示部２０２と反対側の面、すなわちマイク２０４と同一の面に設けられる。なお、視線検出については、特開２０１２−１１５５０５号公報にもその詳細が開示されている。
【００３８】
静電センサ２１１は、図２（Ｂ）に示すように、レリーズスイッチ２０３Ａに設けられ、静電容量の変化を検出し、検出結果を制御部２１３に出力する。制御部２１３は、静電センサ２１１の検出結果に基づいて、ユーザが、レリーズスイッチ２０３Ａに指をかけたか否かを判断する。
【００３９】
加速度センサ２１２は、撮像装置２０の加速度を検出し、検出値を制御部２１３に出力する。加速度センサ２１２には、圧電素子や歪ゲージなどを用いることができる。加速度センサ２１２の軸数としては１〜３軸のいずれかを適宜選択すればよく、その数も任意に設定することができる。制御部２１３は、加速度センサ２１２の検出値に基づいて、ユーザが撮像装置２０を一定の姿勢で所定時間保持したか否か、すなわち、撮像の構図を決定したか否かを判断する。
【００４０】
制御部２１３は、撮像装置２０全体を統括的に制御する。制御部２１３は、ＣＰＵ、ＲＡＭ、ＲＯＭ等を備える。
【００４１】
（撮像システム５００の処理）
次に、図３（Ａ）及び図３（Ｂ）に基づいて、撮像システム５００が実行する処理について説明する。図３（Ａ）は、撮像装置２０が実行する処理の一例を示すフローチャートであり、図３（Ｂ）は、装着型機器１０が実行する処理の一例を示すフローチャートである。図３（Ａ）及び図３（Ｂ）の処理は、撮像装置２０及び装着型機器１０の電源が入れられたり、撮像装置２０と装着型機器１０との間で通信が成立すると開始される。なお、撮像装置２０は、電源が投入された場合、“通常撮影モード”での動作を開始し、撮像部２０１はスルー画像の撮像を開始するものとする。なお、本第１の実施形態では、撮像されたスルー画像を撮像装置２０の表示部１０２に表示するものとする。また、撮像装置２０と通信する装着型機器１０は、例えば装着型機器１０と撮像装置２０とを接触させたり、近接させたりして予めペアリングされており、ペアリング情報は、撮像装置２０と装着型機器１０とが保持しているものとする。この場合、前述の近接通信や人体通信の成立によりペアリングを行うようにしてもよい。装着型機器１０と撮像装置２０との一方の電源がオフのときに近接通信や人体通信の成立により電源がオフの装置の電源をオンするようにしてもよい。なお、本実施形態においてペアリングとは、複数の装置間の協働処理を実行され得る状態にすることである。
【００４２】
図３（Ａ）の処理では、まず、ステップＳ１０において、制御部２１３は、ユーザの所定の操作を検出したか否かを判断する。例えば、制御部２１３は、ユーザが、操作部２０３が備えるタッチパネルを用いて、撮像装置２０に対して“連携撮影モード”を設定したか否かを判断する。ここでの判断が肯定された場合、制御部２１３は、ステップＳ１５に移行するが、否定された場合、ステップＳ１１に移行する。
【００４３】
続くステップＳ１１及びステップＳ１２において、制御部２１３は、ユーザが、被写体を見ずに被写体の撮像を行うよそ見撮影（ノールック撮影）に関する動作をとったか否かを判断する。具体的には、制御部２１３は、まず、ステップＳ１１において、装着型機器１０の方位センサ１０５から入力した装着型機器１０の向いている方向と、方位センサ２０８から入力した撮像部２０１の撮像方向とが異なるか否かを判断する。すなわち、ステップＳ１１では、制御部２１３は、ユーザが撮像装置２０の撮像部２０１を向けている方向（撮像部２０１のレンズの光軸方向）と、ユーザの向いている方向（ユーザの視線方向）とが異なるか否かを判断している。例えば、制御部２１３は、装着型機器１０が向いている方向と撮像部２０１の撮像方向とがなす角度を算出し、当該角度が所定値（例えば、５度）以上であれば、装着型機器１０が向いている方向と、撮像部２０１の撮像方向とが異なると判断する。ここで、例えば、図４に示す撮像部２０１の撮像方向Ｄ１と装着型機器１０が向いている方向Ｄ２（ユーザＵ１０が向いている方向）とがなす角度が、所定値未満であった場合、制御部２１３は、ステップＳ１０に戻る。一方、撮像部２０１の撮像方向Ｄ１と装着型機器１０が向いている方向Ｄ２とがなす角度が、所定値以上であった場合、制御部２１３は、ステップＳ１２に移行する。
【００４４】
ステップＳ１２に移行すると、制御部２１３は、ユーザの所定の動作を検出したか否かを判断する。例えば、制御部２１３は、圧力センサ２０９、静電センサ２１１、及び、加速度センサ２１２の少なくとも１つの出力値に基づいて、ユーザが、撮像に関する動作をとったか否かを判断する。具体的には、制御部２１３は、圧力センサ２０９の出力値に基づいて、ユーザが撮像装置２０のグリップ部分を保持したか否かを判断する。また、制御部２１３は、静電センサ２１１の出力値に基づいて、ユーザがレリーズスイッチ２０３Ａに指をかけたか否かを判断する。また、制御部２１３は、加速度センサ２１２の出力値に基づいて、ユーザが撮像装置２０を一定の姿勢で所定時間（例えば、３秒）保持したか否か、すなわち、撮像の構図を決定したか否かを判断する。
【００４５】
制御部２１３は、ユーザが撮像装置２０の撮像部２０１を、ユーザの向いている方向とは異なる方向に向け（ステップＳ１１／ＹＥＳ）、かつ、撮像に関する動作をとった場合（ステップＳ１２／ＹＥＳ）、ユーザがよそ見撮影を行うと判断し、ステップＳ１５に移行する。
【００４６】
制御部２１３は、ステップＳ１５において、撮像装置２０を“連携撮影モード”に移行させる。撮像装置２０が“連携撮影モード”に移行すると、通信部２０７は、ステップＳ１６において、撮像部２０１が撮像したスルー画像の装着型機器１０への送信を開始する。
【００４７】
一方、装着型機器１０の制御部１０９は、図３（Ｂ）のステップＳ３２において、撮像装置２０からスルー画像を受信したか否かを判断する。ここで、撮像装置２０が、ステップＳ１６においてスルー画像の送信を開始している場合には、ステップＳ３２の判断が肯定され、制御部１０９は、ステップＳ４０に移行し、受信したスルー画像を表示部１０２に表示し、ステップＳ３２に戻る。これにより、図４に示すように、ユーザ（Ｕ１０）は、被写体Ｏ１０や撮像装置２０の方に顔を向けなくても、表示部１０２に表示されたスルー画像を確認しながら撮像を行うことができる。
【００４８】
一方、スルー画像を受信していない場合、制御部１０９は、ステップＳ３４に移行し、ユーザから、スルー画像の送信要求を受け付けたか否かを判断する。例えば、制御部１０９は、ユーザが操作部１０３に対し所定の動作（例えば、タップ）を行ったり、マイク１０４に対して「よそ見撮影」と発音するなどして所定の音声コマンドを入力したか否かを判断する。ここでの判断が否定された場合、制御部１０９は、ステップＳ３２に戻るが、肯定された場合、ステップＳ３６に移行する。
【００４９】
ステップＳ３６に移行すると、制御部１０９は、撮像装置２０に対し、スルー画像の送信を要求する。スルー画像の送信を要求した後、制御部１０９は、ステップＳ３８において、スルー画像を受信するまで待機する。
【００５０】
ところで、図３（Ａ）のステップＳ１２において、制御部２１３は、ユーザの所定の動作を検出しなかった場合（ステップＳ１２／ＮＯ）、ステップＳ１４に移行し、装着型機器１０から、スルー画像の送信要求を受信したか否かを判断する。ここでの判断が否定された場合には、ステップＳ１０に戻る。一方、装着型機器１０の制御部１０９が、図３（Ｂ）のステップＳ３６において、スルー画像の送信を要求した場合、ステップＳ１４の判断が肯定され、制御部２１３は、上述したステップＳ１５及びＳ１６の処理を実行する。
【００５１】
一方、装着型機器１０の制御部１０９は、図３（Ｂ）のステップＳ３８において、スルー画像を受信するまで待機しているので、図３（Ａ）のステップＳ１６の処理が実行されたタイミングで、ステップＳ４０に移行し、受信したスルー画像を表示部１０２に表示する。ステップＳ４０の終了後は、ステップＳ３２に戻る。図３（Ｂ）の処理は、装着型機器１０の電源がオフされるまで繰り返される。
【００５２】
ところで、撮像装置２０の制御部２１３は、図３（Ａ）のステップＳ１８において、被写体の状態が所定の状態にあるか否かを判断する。本実施形態では、制御部２１３は、被写体が撮像装置２０を意識していない状態にあるか否かを判断する。例えば、制御部２１３は、視線検出部２１０の検出結果に基づき、被写体の視線が、一定時間（例えば、１０秒）撮像装置２０に向いていないか否かを判断する。被写体の視線が撮像装置２０を向いていないということは、被写体が撮像装置２０を意識していないと考えられるからである。そして、制御部２１３は、被写体の視線が一定時間撮像装置２０に向いていない場合、ステップＳ２０に移行し、撮像部２０１による被写体の撮像を自動で実行する。これにより、撮像装置２０を意識していない被写体の自然な表情や仕草を撮像することができる。なお、ユーザは、装着型機器１０の表示部１０２に表示されたスルー画像を確認しながら、レリーズスイッチ２０３Ａを操作して、手動で撮像をおこなってもよい。
【００５３】
続くステップＳ２２において、制御部２１３は、操作部２０３を介して、ユーザから“連携撮影モード”の終了指示を受け付けたか否かを判断する。ここでの判断が否定された場合に、ステップＳ１８に戻るが、肯定された場合には、制御部２１３は、ステップＳ２４に移行する。
【００５４】
ステップＳ２４に移行すると、制御部２１３は、撮像装置２０を“通常撮影モード”に移行させ、ステップＳ１０に戻る。撮像装置２０が“通常撮影モード”に移行すると、通信部２０７は、スルー画像の装着型機器１０への送信を終了する。図３（Ａ）の処理は、撮像装置２０の電源がオフされるまで繰り返される。
【００５５】
以上の処理により、ユーザが撮像装置２０あるいは装着型機器１０を操作することにより“連携撮影モード”を設定した場合（ユーザがよそ見撮影を意図した場合）、あるいは、ユーザが被写体の方向を見ずに撮像装置２０を被写体の方向に向け、撮像に関する動作をとった場合（ユーザがよそ見撮影をする可能性が高い場合）に、撮像部２０１が撮像したスルー画像が装着型機器１０に送信され、それ以外の場合には、装着型機器１０にスルー画像は送信されない。これにより、ユーザがよそ見撮影を行う適切なタイミングで、撮像部２０１が撮像するスルー画像を装着型機器１０の表示部１０２に表示させることができる。
【００５６】
以上、詳細に説明したように、本第１の実施形態によれば、撮像装置２０は、撮像部２０１が撮像したスルー画像を装着型機器１０に送信可能な通信部２０７と、通信部２０７と装着型機器１０との通信が成立し、撮像部２０１がスルー画像を撮像した場合でも、撮像部２０１が撮像したスルー画像の装着型機器１０への送信を待機させる制御部２１３と、を備えるので、装着型機器１０と撮像装置２０とが連携する場合において、適切なタイミングでスルー画像を撮像装置２０から装着型機器１０へ送信することができる。これにより、装着型機器１０の表示部１０２に常に撮像部２０１が撮像したスルー画像が表示されることにより、ユーザが当該スルー画像を目障りに感じる事態を防止できるとともに、装着型機器１０の電力消費をおさえることもでき、ユーザの利便性が向上する。
【００５７】
また、本第１の実施形態において、撮像装置２０は、撮像に関連するユーザの動作もしくは操作を検出するために圧力センサ２０９、静電センサ２１１、及び加速度センサ２１２を備え、制御部２１３は、各センサの出力値に基づいてユーザの所定の動作もしくは操作を検出した場合に、スルー画像を装着型機器１０に送信する。具体的には、制御部２１３は、ユーザが、当該ユーザが向いている方向とは異なる方向に撮像装置２０の撮像部２０１を向けており、かつ、圧力センサ２０９、静電センサ２１１、及び加速度センサ２１２の出力値に基づいて、ユーザが撮像装置２０のグリップ部分を握る動作、ユーザがレリーズスイッチ２０３Ａに指をかける動作、及び、ユーザが撮像装置２０を一定の姿勢で所定時間保持する動作の少なくとも１つを検出した場合に、スルー画像を通信部２０７を介して装着型機器１０に送信する。これにより、ユーザがよそ見撮影を行おうとした段階で、装着型機器１０の表示部１０２にスルー画像を表示させることができる。これにより、ユーザは、被写体や撮像装置２０の方に顔を向けなくても、表示部１０２に表示されたスルー画像を確認しながら、撮像を行うことができる。
【００５８】
また、本第１の実施形態において、制御部２１３は、装着型機器１０においてスルー画像の送信を要求する操作が行われたときに、スルー画像を送信するので、ユーザが所望したタイミングで、装着型機器１０の表示部１０２にスルー画像を表示させることができる。
【００５９】
また、本第１の実施形態において、制御部２１３は、視線検出部２１０の検出結果に基づき、被写体の視線が撮像装置２０に向いていない場合に、撮像部２０１による撮像を自動で実行する。これにより、被写体が撮像装置２０を意識せず、自然な表情や仕草をしている可能性が高いタイミングで、撮像を実行することができ、被写体の自然な表情や仕草を撮像することができる。
【００６０】
なお、上記第１の実施形態において、撮像装置２０の制御部２１３は、ユーザが、当該ユーザが向いている方向とは異なる方向に撮像装置２０の撮像部２０１を向けており、かつ、ユーザがレリーズスイッチ２０３Ａを半押しし、撮像部２０１がレリーズ操作を行ったタイミングで、スルー画像を装着型機器１０に送信するようにしてもよい。これにより、ユーザがよそ見撮影を行おうとした段階で、装着型機器１０の表示部１０２にスルー画像を表示させることができる。
【００６１】
また、上記第１の実施形態において、撮像装置２０が被写体の笑顔を検出する笑顔検出部を備えている場合、制御部２１３は、当該笑顔検出部が笑顔を検出した場合に、撮像部２０１による撮像を自動で実行するようにしてもよい。これにより、被写体の自然な表情や仕草を撮像することができる。
【００６２】
なお、上記第１の実施形態において、視線検出部２１０は、赤外線ＬＥＤで被写体の顔を照らして、赤外線カメラで被写体の目を写すことにより、角膜反射の位置に対する瞳孔の位置に基づいて、被写体の視線を検出していたが、これに限れられるものではない。例えば、視線検出部２１０は、撮像部２０１が撮像したスルー画像に含まれる被写体の眼球の位置等に基づいて、被写体の視線を検出してもよい。
【００６３】
なお、上記第１の実施形態では、ステップＳ１１において、制御部２１３は、撮像部２０１が向いている方向と、ユーザの向いている方向とが異なるか否かを、方位センサ１０５、方位センサ２０８の検出値に基づいて判断する場合について説明した。しかしながら、これに限られるものではなく、例えば、制御部２１３は、撮像部２０１が撮像したスルー画像と、装着型機器１０の撮像部１０１が撮像した画像とを比較することで、撮像部２０１が向いている方向と、ユーザの向いている方向とが異なるか否かを判断してもよい。この場合、制御部２１３は、撮像部２０１が撮像したスルー画像に含まれる主要被写体が、装着型機器１０の撮像部１０１が撮像した画像に含まれるか否かに基づいて判断してもよい。
【００６４】
なお、上記第１の実施形態では、連携撮影モードにおいて、制御部２１３は、ステップＳ１８、Ｓ２０の処理及び判断を行う場合について説明したが、これに限らず、ステップＳ１８、Ｓ２０の処理及び判断を省略してもよい。
【００６５】
なお、上記第１の実施形態では、スルー画像を撮像装置２０側から装着型機器１０側に送信した場合、撮像装置２０の表示部２０２においてスルー画像の表示を行わないようにしてもよい。これにより、消費電力を低減することが可能となるとともに、被写体に撮像装置２０による撮像が行われることを意識させないようにすることができる。
【００６６】
《第２の実施形態》
次に、第２の実施形態について、図５に基づいて詳細に説明する。第２の実施形態においても、図４に示すように、ユーザＵ１０が被写体Ｏ１０を見ないことで、被写体Ｏ１０の自然な表情や仕草を撮像する場合について説明する。
【００６７】
なお、第２の実施形態に係る撮像システムの構成は、第１の実施形態の図１に示す構成と同一又は同等であるため、図示及び説明を省略する。なお、第２の実施形態において、撮像装置２０が“連携撮影モード”にある場合、第１の実施形態と同様、撮像部２０１が撮像するスルー画像の装着型機器１０への送信が行われるとともに、被写体の自動撮像が可能となる。また、これに加えて、被写体の自然な表情や仕草を撮像する確率を高めるために、撮像部２０１の設定が変更される。
【００６８】
（撮像装置２０の処理）
以下、第２の実施形態に係る撮像装置２０が実行する処理について説明する。図５は、撮像装置２０が実行する処理を示すフローチャートである。なお、本第２の実施形態においても、図５の処理は、撮像装置２０及び装着型機器１０の電源が入れられ、撮像装置２０と装着型機器１０との間で通信が成立すると開始されるものとする。なお、撮像装置２０は、電源が投入されると、“通常撮影モード”での動作を開始し、撮像部２０１はスルー画像の撮像及び表示部２０２への表示を開始するものとする。また、撮像装置２０と通信する装着型機器１０は、例えば装着型機器１０と撮像装置２０とを接触させたり、近接させたりして予めペアリングされており、ペアリング情報は、撮像装置２０と装着型機器１０とが保持しているものとする。
【００６９】
図５の処理では、ステップＳ５２において、制御部２１３は、装着型機器１０の方位センサ１０５から、装着型機器１０が向いている方向（図４の例では方向Ｄ２）を入力する。また、続くステップＳ５４において、制御部２１３は、撮像部２０１の撮像方向（図４の例では方向Ｄ１）を、方位センサ２０８から入力する。なお、ステップＳ５２及びＳ５４の処理順序は逆でもよい。
【００７０】
続くステップＳ５６において、制御部２１３は、図３（Ａ）のステップＳ１１と同様にして、装着型機器１０が向いている方向と、撮像部２０１の撮像方向とが異なるか否かを判断する。ここでの判断が否定された場合、制御部２１３は、ステップＳ５２に戻る（“通常撮影モード”が維持される）が、肯定された場合、ステップＳ６０に移行する。
【００７１】
ステップＳ６０に移行すると、制御部２１３は、撮像装置２０を“連携撮影モード”に移行する。撮像装置２０が“連携撮影モード”に移行すると、ステップＳ６２において、通信部２０７は、撮像部２０１が撮像したスルー画像の装着型機器１０への送信を開始する。スルー画像を受信した装着型機器１０は、表示部１０２にスルー画像を表示する。これにより、ユーザは、被写体を直接見たり、撮像装置２０の表示部２０２を確認することなく、撮像部２０１が撮像しているスルー画像を表示部１０２で確認しながら、撮像のタイミングを待つことができる。
【００７２】
続くステップＳ６４において、制御部２１３は、撮像部２０１の設定を変更する。本第２の実施形態では、制御部２１３は、まず、表示部２０２の表示をオフにする。ユーザは装着型機器１０の表示部１０２によりスルー画像を確認できるため、撮像装置２０の表示部２０２の表示をオフすることで、撮像装置２０の消費電力を減らすことができる。また、制御部２１３は、手ブレ補正機能の手ブレ補正の強さを強くする。“連携撮影モード”では、図４に示すように、ユーザがカメラを片手で持って撮像を行う可能性が高いため、手ブレ補正の強さを強くすることで、手ブレを起き難くすることができる。また、制御部２１３は、撮像部２０１が撮像する際に発生する音を小さくすることができる“静音モード”を設定する。これにより、撮像時に発生する音を抑えることができるため、被写体が撮像されていることを意識しないようにすることができ、被写体の自然な表情や仕草を撮像することが可能となる。さらに、制御部２１３は、撮像部２０１による動画の撮像を開始する。これにより、被写体の決定的瞬間を撮り逃してしまう可能性が低減され、さらに、記録した動画から静止画を取り出すことが可能となる。なお、本実施形態の撮像装置２０は、動画の撮像中であっても、静止画の撮像が可能であるものとする。
【００７３】
制御部２１３は、ステップＳ６４の処理が終了すると、図３（Ａ）のステップＳ１８〜Ｓ２２と同様に、ステップＳ６６〜Ｓ７０の処理を実行し、ユーザから“連携撮影モード”の終了指示を受け付けた段階で、ステップＳ７２に移行する。
【００７４】
ステップＳ７２に移行すると、制御部２１３は、撮像装置２０を“通常撮影モード”に移行させ、ステップＳ５２に戻る。撮像装置２０が“通常撮影モード”に移行すると、通信部２０７は、装着型機器１０へのスルー画像の送信を終了する。図５の処理は、撮像装置２０の電源がオフされるまで繰り返される。
【００７５】
以上の処理により、ユーザが被写体の方向を見ずに撮像装置２０を被写体の方向に向けている場合、すなわち、ユーザがよそ見撮影を行う可能性が高い場合に、撮像部２０１の設定が、よそ見撮影に適した設定に自動で変更される。これにより、ユーザは、手動で撮像部２０１の設定を変更する必要がなく、よそ見撮影に適した設定がなされた撮像装置２０を使って、よそ見撮影を行うことができる。
【００７６】
以上、詳細に説明したように、本第２の実施形態によれば、撮像装置２０の制御部２１３は、撮像部２０１の撮像方向と、ユーザが装着する装着型機器１０の向いている方向とを通信部１０８，２０７を介して入力し、撮像部２０１の撮像方向と、装着型機器１０の向いている方向とに基づいて、撮像部２０１を制御するので、撮像装置２０と装着型機器１０とが連携して動作する可能性が高い場合に、適切に撮像部２０１を制御することができ、ユーザの利便性が向上する。
【００７７】
また、本第２の実施形態によれば、撮像装置２０は、装着型機器１０に撮像部２０１が撮像したスルー画像を送信する通信部２０７を備え、制御部２１３は、撮像部２０１の撮像方向と装着型機器１０の向いている方向とが異なるときに、撮像部２０１が撮像したスルー画像を通信部２０７を介して装着型機器１０に送信するので、ユーザが被写体を見ずに撮像装置２０を被写体に向けて撮像を実行する（よそ見撮影を行う）可能性が高いタイミングで、装着型機器１０の表示部１０２にスルー画像を表示することができる。これにより、ユーザは、表示部１０２に表示されたスルー画像を確認しながら、撮像動作を行えるため、被写体に撮像を行うことを意識させることなく、被写体の自然な表情を撮像することができる。
【００７８】
また、本第２の実施形態において、制御部２１３は、撮像部２０１の撮像方向と装着型機器１０の向いている方向とが異なるときに、撮像部２０１に関する設定を変更する。これにより、ユーザは、手動で撮像部２０１の設定を変更する必要がなく、よそ見撮影に適した設定がなされた撮像装置２０を使って、よそ見撮影を行うことができる。
【００７９】
なお、上記第２の実施形態において、例えば、撮像装置２０や装着型機器１０がＧＰＳ(Global Positioning System)モジュールなどの位置検出装置や加速度センサを備えている場合には、該位置検出装置や加速度センサの検出結果に基づいて、“連携撮影モード”を実行することを禁止することとしてもよい。例えば、位置検出装置や加速度センサの検出結果から、ユーザが電車で移動していると判定した場合には、電車内でのよそ見撮影の実行を禁止することで、盗撮を防止することが可能となる。
【００８０】
《第３の実施形態》
次に、第３の実施形態について、図６及び図７に基づいて詳細に説明する。第３の実施形態では、図６に示すように、撮像装置２０をユーザＵ１０が保持せずに、被写体Ｏ１０を撮像可能な位置に設置し、被写体Ｏ１０の自然な表情や仕草を撮像する場合について説明する。
【００８１】
なお、第３の実施形態に係る撮像システムの構成は、第１の実施形態の図１に示す構成と同一又は同等であるため、図示及び説明を省略する。なお、本第３の実施形態において、撮像装置２０が“連携撮影モード”にある場合、撮像装置２０は、撮像部２０１が撮像したスルー画像の装着型機器１０への送信が可能となるのに加えて、ユーザの操作部２０３に対する操作に基づいてだけでなく、装着型機器１０から受信した指示に基づいても動作するようになっている。
【００８２】
（装着型機器１０の処理）
以下、第３の実施形態に係る装着型機器１０が実行する処理について説明する。図７は、装着型機器１０が実行する処理を示すフローチャートである。なお、本第３の実施形態においても、図７の処理は、撮像装置２０及び装着型機器１０の電源が入れられ、撮像装置２０と装着型機器１０との間で通信が成立し、かつ撮像装置２０が設置されたことを検出した場合に開始されるものとする。なお、制御部１０９は、撮像装置２０が設置されたことを、撮像装置２０に設けられた不図示の加速度センサの検出値が所定時間変動しなくなったことや、撮像装置２０に三脚が固定されたことを検出するセンサの出力に基づいて検出することができる。
【００８３】
なお、撮像装置２０は、電源が投入されると、“通常撮影モード”で動作し、撮像部２０１はスルー画像の撮像及び表示部２０２への表示を開始するものとする。また、撮像装置２０と通信する装着型機器１０は、例えば装着型機器１０と撮像装置２０とを接触させたり、近接させたりして予めペアリングされており、ペアリング情報は、撮像装置２０と装着型機器１０とが保持しているものとする。
【００８４】
図７の処理では、まず、ステップＳ１０３において、制御部１０９は、撮像装置２０の方位センサ２０８から、撮像部２０１の撮像方向（図６の例では方向Ｄ３）を入力し、続くステップＳ１０５において、方位センサ１０５から、装着型機器１０が向いている方向（図６の例では方向Ｄ２）を入力する。なお、ステップＳ１０３とＳ１０５の処理順序は逆でもよい。
【００８５】
続くステップＳ１０７において、制御部１０９は、図３（Ａ）のステップＳ１１と同様に、装着型機器１０が向いている方向と、撮像装置２０の撮像部２０１の撮像方向とが異なるか否かを判断する。ここでの判断が否定された場合、制御部１０９は、ステップＳ１０３に戻る（“通常撮影モード”を維持する）が、肯定された場合、ステップＳ１０９に移行する。
【００８６】
ステップＳ１０９に移行すると、制御部１０９は、装着型機器１０の操作部１０３を用いて撮像装置２０を操作するか否かをユーザに尋ねるメッセージを表示部１０２に表示する。例えば、制御部１０９は、「装着型機器を用いて、撮像装置を操作しますか」といったメッセージを表示部１０２に表示する。なお、制御部１０９は、同様のメッセージをスピーカ１０６から出力してもよい。
【００８７】
続くステップＳ１１１において、制御部１０９は、操作部１０３の操作対象を撮像装置２０に切り替える切替指示をユーザから受け付けたか否かを判断する。本実施形態では、制御部１０９は、ステップＳ１０９で表示したメッセージに対し、ユーザが操作部１０３に対し所定の動作（例えば、２回タップ）を行った場合や、マイク１０４に対して「ＹＥＳ」と発音した場合に、切替指示を受け付けたと判断する。ステップＳ１１１の判断が否定された場合、制御部１０９は、ステップＳ１０３に戻る（“通常撮影モード”を維持する）が、肯定された場合、ステップＳ１１２に移行する。
【００８８】
ステップＳ１１２に移行すると、制御部１０９は、撮像装置２０に対し、“連携撮影モード”に移行するよう要求する。当該要求を受け付けた撮像装置２０は、“連携撮影モード”に移行し、撮像部２０１が撮像するスルー画像の装着型機器１０への送信を開始する。
【００８９】
続くステップＳ１１３において、制御部１０９は、スルー画像を撮像装置２０から受信し、表示部２０２に表示する。これにより、ユーザは、表示部２０２に表示されたスルー画像を確認しながら、撮像のタイミングを待つことができる。
【００９０】
続くステップＳ１１５において、制御部１０９は、ユーザから操作を受け付けたか否かを判断する。ここでの判断が否定された場合、ステップＳ１１９に移行するが、肯定された場合、ステップＳ１１７に移行する。
【００９１】
ステップＳ１１７に移行すると、制御部１０９は、操作部１０３に対する操作や、マイク１０４を介して入力された音声コマンドに基づく指示を撮像装置２０に送信する。例えば、制御部１０９は、ユーザが操作部１０３に対して所定の動作（例えば、タップ）をしたり、マイク１０４に対して「撮影」と発音したりした場合に、静止画の撮像指示を撮像装置２０に送信する。撮像指示を受信した撮像装置２０は、被写体Ｏ１０の撮像を行う。これにより、表示部２０２に表示されたスルー画像を確認しながら、ユーザＵ１０が、被写体Ｏ１０が自然な表情や仕草をしていると感じたときに、装着型機器１０から撮像装置２０を操作して、撮像装置２０による撮像を実行することができる。なお、制御部１０９は、ユーザが操作部１０３上で指を前方向にスワイプした場合、撮像装置２０にズーム倍率を上げるよう指示し、指を後方向にスワイプした場合、撮像装置２０にズーム倍率を下げるように指示してもよい。さらに、制御部１０９は、操作部１０３上の上下方向のスワイプに応じて、露出や絞りの値を変更するよう撮像装置２０に指示してもよい。また、制御部１０９は、ユーザがマイク１０４に対して「動画撮影」と発音した場合に、動画の撮像指示を撮像装置２０に送信してもよい。なお、制御部１０９は、装着型機器１０がユーザの目の動作を検出する検出部を備える場合には、当該検出部がユーザのウインクを検出した場合に、撮像指示を撮像装置２０に送信するようにしてもよい。
【００９２】
続くステップＳ１１９において、制御部１０９は、装着型機器１０を用いた撮像装置２０の操作を終了する指示をユーザから受け付けたか否かを判断する。例えば、制御部１０９は、ユーザがマイク１０４に対して「連携撮影モード終了」と発音した場合に、装着型機器１０を用いた撮像装置２０の操作を終了する指示をユーザから受け付けたと判断する。ここでの判断が否定された場合、制御部１０９は、ステップＳ１１５に戻るが、肯定された場合、ステップＳ１２１に移行する。
【００９３】
ステップＳ１２１に移行すると、制御部１０９は、撮像装置２０に対し、“通常撮影モード”に移行するよう要求し、ステップＳ１０３に戻る。当該要求を受け付けた撮像装置２０は、“通常撮影モード”に移行し、装着型機器１０へのスルー画像の送信を終了する。図７の処理は、装着型機器１０の電源がオフされるまで繰り返される。
【００９４】
このように、装着型機器１０の制御部１０９は、ユーザがよそ見撮影を行う可能性が高い場合に、操作部１０３やマイク１０４を用いてユーザが操作する対象を撮像装置２０に切替え、ユーザの操作に基づく指示を撮像装置２０に送信する。また、制御部１０９は、撮像装置２０からスルー画像を受信し、表示部１０２に表示する。これにより、ユーザは、表示部１０２に表示されたスルー画像を確認しながら、撮像装置２０を装着型機器１０から遠隔操作して、被写体の自然な表情や仕草を撮像することができる。
【００９５】
以上、詳細に説明したように、本第３の実施形態によれば、ユーザが装着する装着型機器１０の制御部１０９は、撮像装置２０の撮像方向と、装着型機器１０の向いている方向とを入力し、当該撮像方向と装着型機器１０の向いている方向とに基づいて、操作部１０３やマイク１０４が受け付けた入力を、撮像装置２０の操作に関する情報として撮像装置２０に送信するので、装着型機器１０と撮像装置２０とが連携して撮像を実行する可能性が高い場合に、装着型機器１０を用いて撮像装置２０の操作を行うことができ、ユーザの利便性が向上する。
【００９６】
また、本第３の実施形態によれば、装着型機器１０は、制御部１０９は、撮像装置２０の撮像方向と装着型機器１０の向いている方向とが異なるときに、通信部２０７を介して撮像装置２０により撮像されたスルー画像を受信するので、ユーザは、被写体を見ることなく表示部１０２に表示されたスルー画像を見ながら、撮像装置２０に対し撮像等を指示することができる。
【００９７】
なお、図６では、撮像装置２０を三脚に固定する場合を図示したが、これに限らず、撮像装置２０は、テーブル等に載置してもよい。
【００９８】
なお、上記の処理機能は、コンピュータによって実現することができる。その場合、処理装置（ＣＰＵ）が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体（ただし、搬送波は除く）に記録しておくことができる。
【００９９】
プログラムを流通させる場合には、例えば、そのプログラムが記録されたＤＶＤ（Digital Versatile Disc）、ＣＤ−ＲＯＭ（Compact Disc Read Only Memory）などの可搬型記録媒体の形態で販売される。また、プログラムをサーバコンピュータの記憶装置に格納しておき、ネットワークを介して、サーバコンピュータから他のコンピュータにそのプログラムを転送することもできる。
【０１００】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【０１０１】
上述した実施形態は本発明の好適な実施の例である。但し、これに限定されるものではなく、本発明の要旨を逸脱しない範囲内において種々変形実施可能である。また、第１〜第３の実施形態の構成の一部又は全部を組み合わせてもよい。例えば、撮像装置２０の撮像部２０１の撮像方向と、装着型機器１０の向いている方向とが異なる場合に、撮像装置２０は、スルー画像の装着型機器１０への送信を開始し、撮像部２０１の設定を変更すると共に、装着型機器１０からの操作指示を受付けるようにしてもよい。また、撮像装置２０は、装着型機器１０からの操作指示に基づいて動作する場合においても、被写体の状態が所定の状態にある場合に、自動で被写体の撮像を行うようにしてもよい。
【０１０２】
また、装着型機器１０としては、眼鏡型の端末に限らず時計型の端末に適用してもよい。また、撮像装置２０として表示部２０２を有していないタイプにも上述の実施の形態を適用するようにしてもよく、この場合、操作部２０３からタッチパネルを省略するなどしてより簡略化してもよい。
【符号の説明】
【０１０３】
１０  装着型機器
２０  撮像装置
１０１  撮像部
１０２  表示部
１０３  操作部
１０４  マイク
１０５  方位センサ
１０８  通信部
１０９  制御部
２０１  撮像部
２０７  通信部
２０８  方位センサ
２０９  圧力センサ
２１１  静電センサ
２１２  加速度センサ
２１３  制御部
【図１】
2015136030.tif 000003
【図２】
2015136030.tif 000004
【図３】
2015136030.tif 000005
【図４】
2015136030.tif 000006
【図５】
2015136030.tif 000007
【図６】
2015136030.tif 000008
【図７】
2015136030.tif 000009